(57)【要約】      （修正有）【課題】マスターレンズの像側に配置して全系の焦点距離を拡大し、全系で高い光学特性を得ることが可能なコンバーターレンズを提供する。【解決手段】コンバーターレンズＲＣＬは、全体として負の屈折率を有し、全系の焦点距離を長くするコンバーターレンズであって、３枚以上の負レンズを有し、コンバーターレンズに含まれる全ての負レンズの材料のｄ線（波長５８７．５６ｎｍ）における平均屈折率をＮｄａｖｅとするとき、１．９２＜Ｎｄａｖｅ＜２．１０なる条件式を満たす。【選択図】図１
2020003580.tif 000002
【特許請求の範囲】
【請求項１】
マスターレンズの像側に配置され、全体として負の屈折率を有し、全系の焦点距離を長くするコンバーターレンズであって、
３枚以上の負レンズを有し、
前記コンバーターレンズに含まれる全ての負レンズの材料のｄ線における平均屈折率をＮｄａｖｅとするとき、
１．９２＜Ｎｄａｖｅ＜２．１０
なる条件式を満たすことを特徴とするコンバーターレンズ。
【請求項２】
前記コンバーターレンズの最も像側に配置された正レンズを有し、該正レンズの物体側の面の曲率半径をＲ１、前記正レンズの像側の面の曲率半径をＲ２とするとき、
１．３０＜（Ｒ１＋Ｒ２）／（Ｒ１−Ｒ２）＜２．５０
なる条件式を満たすことを特徴とする請求項１に記載のコンバーターレンズ。
【請求項３】
前記コンバーターレンズの最も像側の面から像面までの空気換算長をｓｋ、前記コンバーターレンズの最も物体側の面から最も像側の面までの光軸上の距離をＴＤとするとき、
０．１０＜ｓｋ／ＴＤ＜０．５０
なる条件式を満たすことを特徴とする請求項１または２のいずれか１項に記載のコンバーターレンズ。
【請求項４】
前記コンバーターレンズは、物体側から像側へ順に配置された、正の屈折力の第１レンズ群、負の屈折力の第２レンズ群からなり、
前記第１レンズ群は、負レンズと正レンズとの接合レンズからなることを特徴とする請求項１乃至３のいずれか１項に記載のコンバーターレンズ。
【請求項５】
前記第１レンズ群の焦点距離をｆ１、前記第２レンズ群の焦点距離をｆ２とするとき、
−２．３０＜ｆ１／ｆ２＜−０．９５
なる条件式を満たすことを特徴とする請求項４に記載のコンバーターレンズ。
【請求項６】
前記第１レンズ群の焦点距離をｆ１、前記コンバーターレンズの焦点距離をｆとするとき、
−１．４０＜ｆ１／ｆ＜−０．３０
なる条件式を満たすことを特徴とする請求項４又は５に記載のコンバーターレンズ。
【請求項７】
前記第２レンズ群は、負レンズを３枚以上有することを特徴とする請求項４乃至６のいずれか１項に記載のコンバーターレンズ。
【請求項８】
前記第２レンズ群は、負レンズを４枚以上有することを特徴とする請求項７に記載のコンバーターレンズ。
【請求項９】
マスターレンズと、請求項１乃至８のいずれか１項に記載のコンバーターレンズと、を有することを特徴とする交換レンズ。
【請求項１０】
マスターレンズと、請求項１乃至８のいずれか１項に記載のコンバーターレンズと、前記マスターレンズと前記コンバーターレンズによって形成される像を受光する撮像素子とを備えることを特徴とする撮像装置。
【発明の詳細な説明】
【技術分野】
【０００１】
本発明は、コンバーターレンズ、交換レンズ、及び撮像装置に関する。
【背景技術】
【０００２】
交換レンズと撮像装置の間に配置されることにより、全系の焦点距離を拡大する（焦点距離を長くする）ことが可能なリアコンバーターレンズ（以下、コンバーターレンズという）が知られている。
【０００３】
特許文献１は、５枚の負レンズを有し、焦点距離の拡大倍率が２．０倍のコンバーターレンズを開示している。
【先行技術文献】
【特許文献】
【０００４】
【特許文献１】特開２０１７−１７３６９２号公報
【発明の概要】
【発明が解決しようとする課題】
【０００５】
一般に、コンバーターレンズは負の屈折力を有しており、焦点距離の拡大倍率が上がると当該負の屈折力が強くなる傾向がある。また、負の屈折力を強くするために、コンバーターレンズ内の負レンズの曲率を大きくすると、軸外光束に起因するコマ収差等の諸収差が発生しやすいことが知られている。
【０００６】
さらに、コンバーターレンズは開口絞りを有しないため、交換レンズ内のマスターレンズを通過した軸外光束は、その主光線がコンバーターレンズにおける光軸と交差することなく像面に入射する。そのため、交換レンズのように開口絞りの前後に配置したレンズにより収差補正を行うことが困難になりやすい。
【０００７】
このような課題に鑑み、本発明は、マスターレンズの像側に配置された場合に全系で高い光学特性を得ることが可能なコンバーターレンズを提供することを目的とする。
【課題を解決するための手段】
【０００８】
本発明の一実施例に係るコンバーターレンズは、マスターレンズの像側に配置され、全体として負の屈折率を有し、全系の焦点距離を長くするコンバーターレンズであって、３枚以上の負レンズを有し、前記コンバーターレンズに含まれる全ての負レンズの材料のｄ線（波長５８７．５６ｎｍ）における平均屈折率をＮｄａｖｅとするとき、
１．９２＜Ｎｄａｖｅ＜２．１０
なる条件式を満たすことを特徴とする。
【発明の効果】
【０００９】
本発明のコンバーターレンズによれば、マスターレンズの像側に配置された場合であっても全系で高い光学特性を得ることができる。
【図面の簡単な説明】
【００１０】
【図１】実施例１のコンバーターレンズの断面図である。
【図２】実施例１のコンバーターレンズをマスターレンズの像側に配置した時の無限遠物体に合焦時の縦収差図である。
【図３】実施例１のコンバーターレンズをマスターレンズの像側に配置した時の無限遠物体に合焦時の横収差図である。
【図４】実施例２のコンバーターレンズの断面図である。
【図５】実施例２のコンバーターレンズをマスターレンズの像側に配置した時の無限遠物体に合焦時の縦収差図である。
【図６】実施例２のコンバーターレンズをマスターレンズの像側に配置した時の無限遠物体に合焦時の横収差図である。
【図７】実施例３のコンバーターレンズの断面図である。
【図８】実施例３のコンバーターレンズをマスターレンズの像側に配置した時の無限遠物体に合焦時の縦収差図である。
【図９】実施例３のコンバーターレンズをマスターレンズの像側に配置した時の無限遠物体に合焦時の横収差図である。
【図１０】実施例４のコンバーターレンズの断面図である。
【図１１】実施例４のコンバーターレンズをマスターレンズの像側に配置した時の無限遠物体に合焦時の縦収差図である。
【図１２】実施例４のコンバーターレンズをマスターレンズの像側に配置した時の無限遠物体に合焦時の横収差図である。
【図１３】実施例５のコンバーターレンズの断面図である。
【図１４】実施例５のコンバーターレンズをマスターレンズの像側に配置した時の無限遠物体に合焦時の縦収差図である。
【図１５】実施例５のコンバーターレンズをマスターレンズの像側に配置した時の無限遠物体に合焦時の横収差図である。
【図１６】実施例６のコンバーターレンズの断面図である。
【図１７】実施例６のコンバーターレンズをマスターレンズの像側に配置した時の無限遠物体に合焦時の縦収差図である。
【図１８】実施例６のコンバーターレンズをマスターレンズの像側に配置した時の無限遠物体に合焦時の横収差図である。
【図１９】マスターレンズの断面図である。
【図２０】無限遠物体に合焦時のマスターレンズの縦収差図である。
【図２１】無限遠物体に合焦時のマスターレンズの横収差図である。
【図２２】撮像装置の構成を示す図である。
【発明を実施するための形態】
【００１１】
以下、本発明の実施例に係るコンバーターレンズ及び撮像装置について、添付の図面に基づいて詳細に説明する。
【００１２】
ある材料のアッベ数νｄは、フラウンホーファ線のｄ線（５８７．５６ｎｍ）、Ｆ線（４８６．１３ｎｍ）、Ｃ線（６５６．２７ｎｍ）、ｇ線（波長４３５．８４ｎｍ）における屈折率をＮｄ、ＮＦ、ＮＣ、Ｎｇとするとき、
νｄ＝（Ｎｄ−１）／（ＮＦ−ＮＣ）
で表される。
【００１３】
各実施例のコンバーターレンズは、例えば、撮像装置と該撮像装置に対して着脱可能な交換レンズとの間に配置される。各実施例のコンバーターレンズは、交換レンズの光学系とコンバーターレンズからなる撮影光学系（全系）の焦点距離を、交換レンズのみを撮影光学系とした場合よりも焦点距離を長くすることができる。
【００１４】
図１、４、７、１０、１３、１６に示すコンバーターレンズの断面図および図１９に示すマスターレンズの断面図において、左方が物体側（前方）であり、右方が像側（後方）である。また各断面図において、ｉを物体側から像側へのレンズ群の順番とすると、Ｌｉは第ｉレンズ群を示す。開口絞りＳＰは開放Ｆナンバー（Ｆｎｏ）の光束を決定（制限）する。ＦＰはフレアーカット絞りであり、不要光をカットする。
【００１５】
撮像装置がデジタルビデオカメラやデジタルカメラなどである場合は、像面ＩＰは、ＣＣＤセンサまたはＣＭＯＳセンサ等の撮像素子（光電変換素子）に相当する。撮像装置が銀塩フィルムカメラである場合は、像面ＩＰはフィルム面に相当する。
【００１６】
図２、５、８、１１、１４、１７は、後述の各実施例のコンバーターレンズの縦収差図であり、図２０はマスターレンズの縦収差図である。球面収差図において、実線はｄ線、二点鎖線はｇ線を示している。非点収差図において破線Ｍはメリディオナル像面、実線Ｓはサジタル像面である。歪曲収差はｄ線について示している。倍率色収差はｇ線について示している。ωは半画角（度）、ＦｎｏはＦナンバーである。
【００１７】
図３、６、９、１２、１５、１８は、後述の各実施例のコンバーターレンズの横収差図であり、図２１はマスターレンズの横収差図である。横収差図において破線Ｍはメリディオナル像面、実線Ｓはサジタル像面である。
【００１８】
前述のように、全体で負の屈折力を有するコンバーターレンズでは、軸外光束により起因してコマ収差等の諸収差が発生しやすく、かつ補正が困難になりやすい。
【００１９】
そこで、実施例にかかるコンバーターレンズは、全体として負の屈折力を有し、３枚以上の負レンズを有する。そして、コンバーターレンズに含まれる負レンズ材料の平均屈折率を比較的大きくすることにより各レンズの面の曲率を小さくし、軸外光束に起因するコマ収差等の諸収差の発生を低減している。
【００２０】
具体的には、コンバーターレンズに含まれる全ての負レンズの材料のｄ線（波長５８７．５６ｎｍ）における平均屈折率をＮｄａｖｅするとき、
１．９２＜Ｎｄａｖｅ＜２．１０                        ・・・（１）
なる条件式を満たす。
【００２１】
条件式（１）の下限値を下回ってレンズの材料の平均屈折率が小さくなると、ペッツバール和を小さく構成しやすくなって像面湾曲等の補正は容易になる。しかし、レンズの面の曲率が大きくなり、コマ収差等の諸収差の補正が困難となるため好ましくない。
【００２２】
材料の平均屈折率が大きくなると、一般にガラスの材料の分散が大きくなる。そのため、条件式（１）の上限値を上回って、負レンズの材料の平均屈折率が大きくなると、倍率色収差の補正が困難となるため好ましくない。
【００２３】
このように、実施例のコンバーターレンズは、前述のレンズ構成および条件式（１）を満たすことにより、コマ収差等の軸外光束に起因する収差を良好に補正し、マスターレンズに装着したときでも高い光学性能が得ることが可能となる。
【００２４】
また、本発明のコンバーターレンズを用いることで、最大像高の低い撮像素子を有する撮像装置用のマスターレンズを、最大像高の高い撮像素子を有する撮像装置で使用する場合であっても収差の観点でユーザが違和感なく使用できるようになる。
【００２５】
条件式（１）の数値範囲を以下のようにすることが好ましい。
１．９５＜Ｎｄａｖｅ＜２．０８                        ・・・（１ａ）
【００２６】
さらに、条件式（１）の数値範囲を以下のようにすることが好ましい。
１．９８＜Ｎｄａｖｅ＜２．０５                        ・・・（１ｂ）
【００２７】
また、コンバーターレンズは、第２レンズ群に３枚以上の負レンズ、より好ましくは４枚以上の負レンズを有することが好ましい。
【００２８】
さらに、コンバーターレンズが、以下の条件式のうち１以上を満足することが好ましい。
１．３０＜（Ｒ１＋Ｒ２）／（Ｒ１−Ｒ２）＜２．５０    ・・・（２）
０．１０＜ｓｋ／ＴＤ＜０．５０                        ・・・（３）
−２．３０＜ｆ１／ｆ２＜−０．９５                    ・・・（４）
−１．４０＜ｆ１／ｆ＜−０．３０                      ・・・（５）
【００２９】
ただし、最も像側に配置されたレンズの物体側の面の曲率半径をＲ１、当該レンズの像側の面の曲率半径をＲ２とする。コンバーターレンズの最も像側の面から像面までの空気換算長をｓｋ、当該コンバーターレンズの最も物体側の面から最も像側の面までの光軸上の距離をＴＤとする。第１レンズ群の焦点距離をｆ１、第２レンズ群の焦点距離をｆ２、前記コンバーターレンズの焦点距離をｆとする。ここで、第１レンズ群は、負レンズと正レンズを接合した接合レンズからなる。
【００３０】
条件式（２）は、コンバーターレンズの、最も像側に配置された正レンズの形状について規定している。軸外光束を大きく屈折させつつ、収差の発生を抑制するために、一方の面の曲率半径を他方に比べて大きくすることが好ましい。これにより、収差の発生を抑制しつつ、軸上光束に比べ軸外光束を屈折させることができ、軸外光束に起因する収差を補正しやすくなる。
【００３１】
条件式（２）はこれに鑑みて定められたものである。条件式（２）の下限値を下回って像側の面の曲率と物体側の面の曲率の差が大きくなると、像面湾曲がアンダーとなり好ましくない。条件式（２）の上限値を上回って像側の面の曲率と物体側の面の曲率の差が小さくなると、像面湾曲がオーバーになるため好ましくない。
【００３２】
条件式（３）は、コンバーターレンズのバックフォーカスと、最も物体側に配置されているレンズの物体側の面から最も像側に配置されているレンズの像側の面までの距離（レンズ構成長）の比を規定している。条件式（３）を下回るとレンズ構成長が長くなるため好ましくない。条件式（３）を上回ってレンズ構成長が短くなると、各レンズの屈折力が高くなり球面収差の補正が困難となるため好ましくない。
【００３３】
条件式（４）は、第１レンズ群の焦点距離と、第２レンズ群の焦点距離の比を規定している。条件式（４）の下限値を下回ると、球面収差がオーバー側に大きく発生して、補正が困難となるため好ましくない。条件式（４）の上限値を上回ると、球面収差がアンダー側に大きく発生して、補正が困難となるため好ましくない。
【００３４】
条件式（５）は、第１レンズ群の焦点距離と、コンバーターレンズの焦点距離の比を規定している。条件式（５）の下限値を下回って第１レンズ群の焦点距離の絶対値が大きくなり屈折力が弱くなると球面収差がオーバー側に発生するため好ましくない。条件式（５）の上限値を上回って第１レンズ群の焦点距離の絶対値が小さくなり屈折力が強くなると、球面収差がアンダー側に発生すとなるため好ましくない。
【００３５】
さらに、条件式（２）〜（５）の数値範囲を以下のようにすることが好ましい。
１．４０＜（Ｒ１＋Ｒ２）／（Ｒ１−Ｒ２）＜２．３０    ・・・（２ａ）
０．１５＜ｓｋ／ＴＤ＜０．４０                        ・・・（３ａ）
−２．１０＜ｆ１／ｆ２＜−１．００                    ・・・（４ａ）
−１．２０＜ｆ１／ｆ＜−０．３２                      ・・・（５ａ）
【００３６】
さらに、条件式（２）〜（５）の数値範囲を以下のようにすることが好ましい。
１．５０＜（Ｒ１＋Ｒ２）／（Ｒ１−Ｒ２）＜２．１０    ・・・（２ｂ）
０．２５＜ｓｋ／ＴＤ＜０．３５                        ・・・（３ｂ）
−１．９０＜ｆ１／ｆ２＜−１．１０                    ・・・（４ｂ）
−１．１０＜ｆ１／ｆ＜−０．３４                      ・・・（５ｂ）
【００３７】
上記条件式の少なくとも１つを満たすことで、マスターレンズの像側に配置された場合であっても全系でより高い光学特性を得ることが可能となる。
【００３８】
次に、実施例のマスターレンズと、各実施例のコンバーターレンズについて説明する。
【００３９】
［コンバーターレンズ］
次に実施例１〜６のコンバーターレンズについて説明する。
【００４０】
［実施例１］
図１（ａ）は、実施例１のコンバーターレンズＲＣＬの断面図である。図１（ｂ）は、マスターレンズＭＬとマスターレンズＭＬの像側に配置された実施例１のコンバーターレンズＲＣＬの断面図である。図２および図３は実施例１のコンバーターレンズＲＣＬをマスターレンズＭＬの像側に配置した時の無限遠物体に合焦時の縦収差図および横収差図である。コンバーターレンズＲＣＬによる拡大倍率は、１．６１倍である。
【００４１】
第１レンズ群は、負レンズＧ１と正レンズＧ２の接合レンズから構成される。
【００４２】
第２レンズ群は、負レンズと正レンズと負レンズからなる接合レンズと、該接合レンズの像側に配置された正レンズからなる。すなわち、コンバーターレンズＲＣＬは、３枚の負レンズを有する。
【００４３】
［実施例２］
図４（ａ）は、実施例２のコンバーターレンズＲＣＬの断面図である。図４（ｂ）は、マスターレンズＭＬとマスターレンズＭＬの像側に配置された実施例２のコンバーターレンズＲＣＬの断面図である。図５および図６は実施例２のコンバーターレンズＲＣＬをマスターレンズＭＬの像側に配置した時の無限遠物体に合焦時の縦収差図および横収差図である。コンバーターレンズＲＣＬによる拡大倍率は１．６０倍である。
【００４４】
第１レンズ群は、負レンズＧ１と正レンズＧ２の接合レンズから構成される。
【００４５】
第２レンズ群は、物体側から像側へ順に配置された、負レンズと正レンズからなる接合レンズと、負レンズ、正レンズ、負レンズ、正レンズからなる。すなわち、コンバーターレンズＲＣＬは、４枚の負レンズを有する。
【００４６】
［実施例３］
図７（ａ）は、実施例３のコンバーターレンズＲＣＬの断面図である。図７（ｂ）は、マスターレンズＭＬとマスターレンズＭＬの像側に配置された実施例３のコンバーターレンズＲＣＬの断面図である。図８および図９は実施例３のコンバーターレンズＲＣＬをマスターレンズＭＬの像側に配置した時の無限遠物体に合焦時の縦収差図および横収差図である。コンバーターレンズＲＣＬによる拡大倍率は２．０１倍である。
【００４７】
第１レンズ群は、負レンズＧ１と正レンズＧ２の接合レンズから構成される。
【００４８】
第２レンズ群は、物体側から像側へ順に配置された、負レンズと正レンズからなる接合レンズ、負レンズ、正レンズ、負レンズ、正レンズからなる。すなわち、コンバーターレンズＲＣＬは、４枚の負レンズを有する。
【００４９】
［実施例４］
図１０（ａ）は、実施例４のコンバーターレンズＲＣＬの断面図である。図１０（ｂ）は、マスターレンズＭＬとマスターレンズＭＬの像側に配置された実施例４のコンバーターレンズＲＣＬの断面図である。図１１および図１２は実施例４のコンバーターレンズＲＣＬをマスターレンズＭＬの像側に配置した時の無限遠物体に合焦時の縦収差図および横収差図である。コンバーターレンズＲＣＬによる拡大倍率は２．０２倍である。
【００５０】
第１レンズ群は、負レンズＧ１と正レンズＧ２の接合レンズから構成される。
【００５１】
第２レンズ群は、物体側から像側へ順に配置された、負レンズと正レンズからなる接合レンズ、負レンズ、負レンズ、正レンズ、負レンズ、正レンズからなる。すなわち、コンバーターレンズＲＣＬは、５枚の負レンズを有する。
【００５２】
［実施例５］
図１３（ａ）は、実施例５のコンバーターレンズＲＣＬの断面図である。図１３（ｂ）は、マスターレンズＭＬとマスターレンズＭＬの像側に配置された実施例５のコンバーターレンズＲＣＬの断面図である。図１４および図１５は実施例５のコンバーターレンズをマスターレンズＭＬの像側に配置した時の無限遠物体に合焦時の縦収差図および横収差図である。コンバーターレンズＲＣＬによる拡大倍率は１．６１倍である。
【００５３】
第１レンズ群は、負レンズＧ１と正レンズＧ２の接合レンズから構成される。
【００５４】
第２レンズ群は、負レンズと正レンズと負レンズからなる接合レンズと、該接合レンズの像側に配置された正レンズからなる。すなわち、コンバーターレンズＲＣＬは、３枚の負レンズを有する。
【００５５】
［実施例６］
図１６（ａ）は、実施例６のコンバーターレンズＲＣＬの断面図である。図１６（ｂ）は、マスターレンズＭＬとマスターレンズＭＬの像側に配置された実施例６のコンバーターレンズＲＣＬの断面図である。図１７および図１８は実施例６のコンバーターレンズＲＣＬをマスターレンズＭＬの像側に配置した時の無限遠物体に合焦時の縦収差図および横収差図である。コンバーターレンズＲＣＬによる拡大倍率は１．５９倍である。
【００５６】
第１レンズ群は、負レンズＧ１と正レンズＧ２の接合レンズから構成される。
【００５７】
第２レンズ群は、負レンズと正レンズと負レンズからなる接合レンズと、該接合レンズの像側に配置された正レンズからなる。すなわち、コンバーターレンズＲＣＬは、３枚の負レンズを有する。
【００５８】
［マスターレンズ］
図１９は、無限遠物体に合焦時のマスターレンズＭＬの断面図である。図２０は、無限遠物体に合焦時のマスターレンズＭＬの縦収差図である。図２１は、無限遠物体に合焦時のマスターレンズＭＬの横収差図である。
【００５９】
マスターレンズＭＬは、開口絞りＳＰと、該開口絞りＳＰの物体側に配置された前群Ｌｆと、開口絞りＳＰの像側に配置された後群Ｌｒからなる単焦点レンズである。マスターレンズＭＬのＦナンバーは２．８８、半画角は２９度である。なお、例に挙げたマスターレンズＭＬは一例であり、像面に結像可能な光学系であればその他の光学系であっても構わない。
【００６０】
［数値実施例］
前述のマスターレンズＭＬの数値実施例と、実施例１〜６のコンバーターレンズＲＣＬのそれぞれに対応する数値実施例１〜６を示す。
【００６１】
また、各数値実施例において、面番号は、物体側からの光学面の順序を示す。ｒは光学面の曲率半径（ｍｍ）、面番号ｉにおけるｄは、第ｉ番目の光学面と第ｉ＋１番目の光学面の間隔（ｍｍ）、ｎｄはｄ線における光学部材の材料の屈折率、νｄはｄ線を基準とした光学部材の材料のアッベ数であり、定義は前述のとおりである。
【００６２】
ＢＦはバックフォーカスを示す。なお、バックフォーカスは、最も像側の面から近軸像面までの光軸上の距離を空気換算長により表記したものとする。
【００６３】
マスターレンズＭＬにおけるレンズ全長は、マスターレンズＭＬの最も物体側の面（第１レンズ面）からマスターレンズＭＬの最も像側の面（最終レンズ面）までの光軸上の距離にバックフォーカスを加えた長さである。コンバーターレンズＲＣＬをマスターレンズＭＬの像側に配置したときのレンズ全長は、マスターレンズＭＬの最も物体側の面からコンバーターレンズＲＣＬの最も像側の面までの光軸上の距離に、コンバーターレンズＲＣＬのバックフォーカスを加えた長さである。
【００６４】
マスターレンズとコンバーターのレンズ間隔は、マスターレンズの最も像側の面からコンバーターレンズの最も物体側の面までの光軸上の距離である。マスターレンズとコンバーターレンズの間隔は、空気換算長で表している。拡大倍率は、マスターレンズの焦点距離に対する、マスターレンズおよびコンバータを用いた場合の全系の焦点距離の比である。
【００６５】
コンバーターレンズのレンズ構成長は、コンバーターレンズの最も物体側の面からコンバーターレンズの最も像側の面までの光軸上の距離である。
【００６６】
有効径は、軸上光束及び軸外光束の通過範囲の径である。入射瞳位置は最も物体側の面から入射瞳までの距離、射出瞳位置は最も像側の面から射出瞳までの距離である。前側主点位置は最も物体側の面から前側主点までの距離であり、後側主点位置は最も像側の面から後側主点までの距離である。なお、前側主点位置および後側主点位置についての各数値は近軸量であり、符号は物体側から像側の向きを正とする。
【００６７】
また、光学面が非球面の場合は、面番号の右側に、＊の符号を付している。非球面形状は、ｘを光軸方向の面頂点からの変位量、ｈを光軸と垂直な方向の光軸からの高さ、Ｒを近軸曲率半径、ｋを円錐定数、Ａ４、Ａ６、Ａ８、Ａ１０、Ａ１２を各次数の非球面係数とするとき、
ｘ＝（ｈ２／Ｒ）／［１＋｛１−（１＋ｋ）（ｈ／Ｒ）２｝１／２＋Ａ４×ｈ４＋Ａ６×ｈ６＋Ａ８×ｈ８＋Ａ１０×ｈ１０＋Ａ１２×ｈ１２
で表している。なお、各非球面係数における「ｅ±ＸＸ」は「×１０±ＸＸ」を意味している。数値実施例１〜６のそれぞれにおける、前述の各条件式に用いられている物理量を［表１］に示し、前述の各条件式に対応する値を［表２］に示す。
【００６８】
なお、以下に示す数値実施例における長さの単位にはｍｍを用い、角度の単位には度を用いているが、光学系は比例拡大、または比例縮小しても使用可能なため、他の長さの単位を用いることも可能である。
【００６９】
［マスターレンズ］−コンバーターレンズの数値実施例１〜６共通−
単位 mm
面データ
面番号       r        d      nd         vd       有効径
1         23.706    2.83   1.91082    35.3       16.13
2         63.184    0.25                         14.42
3         22.266    0.90   1.48749    70.2       12.89
4          7.213    4.00                         10.11
5          ∞       3.26                          8.13（フレアーカット絞り）
6(絞り)    ∞       3.24                          8.78
7        -16.321    4.82   1.69680    55.5        9.30
8         -8.400    0.80   1.80610    33.3       11.37
9        -36.438    0.20                         13.67
10        227.537    4.39   1.59522    67.7       15.23
11        -15.547    0.90                         16.72
12*       -34.842    3.55   1.58313    59.4       17.76
13        -15.035   35.68                         18.94
像面        ∞
非球面データ
第12面
K = 0.00000e+000  A 4=-5.24174e-005  A 6= 5.25723e-008  A 8=-3.53661e-009  A10= 3.36031e-011  A12=-1.48386e-013
マスターレンズの各種データ
焦点距離      24.50
Fナンバー      2.88
半画角（度）  29.14
像高          13.66
レンズ全長    64.83
BF            35.68
入射瞳位置    10.34
射出瞳位置   -35.77
前側主点位置  26.44
後側主点位置  11.18
マスターレンズの単レンズデータ
レンズ  始面  焦点距離
1       1     40.28
2       3    -22.32
3       7     19.87
4       8    -13.72
5      10     24.62
6      12     42.54
【００７０】
［コンバーターレンズ］
［数値実施例１］
単位 mm
面データ
面番号       r        d      nd         vd       有効径
1        141.314    1.20   1.95375    32.3       25.80
2         20.811    8.90   1.80518    25.4       25.40
3        -50.545    4.45                         25.60
4        -36.637    1.20   2.00100    29.1       24.10
5         62.836    8.70   1.62588    35.7       25.00
6        -19.857    1.30   2.00100    29.1       25.80
7       -424.225    7.20                         29.00
8        -74.271    9.35   1.59551    39.2       35.20
9        -25.409   13.96                         37.90
像面        ∞
マスターレンズとコンバーターレンズの間隔      4.19
コンバーターレンズをマスターレンズの像側に配置した時の各種データ
焦点距離      39.54
Fナンバー      4.65
半画角（度）  28.68
像高          21.64
レンズ全長    89.59
BF            13.96
コンバーターレンズの各種データ
焦点距離     -148.00
レンズ構成長   42.30
前側主点位置  -24.78
後側主点位置  -76.86
拡大倍率        1.61
コンバーターレンズの単レンズデータ
レンズ  始面  焦点距離
1        1     -25.71
2        2      19.39
3        4     -22.98
4        5      25.13
5        6     -20.84
6        8      60.53
【００７１】
［数値実施例２］
単位 mm
面データ
面番号       r        d      nd         vd       有効径
1        108.446    1.20   2.00100    29.1       25.90
2         18.934    8.60   1.85478    24.8       25.40
3        -62.820    4.00                         25.40
4        -49.683    1.20   2.05090    26.9       24.30
5         27.755    6.00   1.80810    22.8       24.90
6       -109.942    1.30                         25.50
7        -45.352    1.20   2.05090    26.9       25.60
8        144.322    0.10                         27.30
9         49.805    5.00   1.53172    48.8       29.50
10       -100.714    1.30                         30.30
11        -52.534    1.60   2.00100    29.1       30.40
12       -149.361    2.90                         32.10
13        -86.192    8.00   1.54072    47.2       34.30
14        -27.523   13.08                         36.50
像面        ∞
マスターレンズとコンバーターレンズの間隔      4.19
コンバーターレンズをマスターレンズの像側に配置した時の各種データ
焦点距離      39.21
Fナンバー      4.61
半画角（度）  28.89
像高          21.64
レンズ全長    88.80
BF            13.08
コンバーターレンズの各種データ
焦点距離      -83.09
レンズ構成長   42.40
前側主点位置    0.34
後側主点位置  -36.78
拡大倍率        1.60
コンバーターレンズの単レンズデータ
レンズ  始面  焦点距離
1       1    -23.07
2       2     17.89
3       4    -16.81
4       5     27.97
5       7    -32.73
6       9     63.41
7      11    -81.63
8      13     71.36
【００７２】
［数値実施例３］
単位 mm
面データ
面番号       r        d      nd         vd       有効径
1         71.603    1.20   2.05090    26.9       25.50
2         17.334    9.10   1.85478    24.8       24.20
3        -55.856    0.45                         24.00
4        -83.837    1.20   2.00100    29.1       23.40
5         15.257    8.15   1.80810    22.8       22.50
6       -109.942    3.45                         22.80
7        -36.477    1.20   2.05090    26.9       22.80
8         53.517    0.20                         24.30
9         38.586    4.70   1.53172    48.8       26.20
10       -174.517    6.95                         27.20
11       -127.684    1.60   2.00100    29.1       32.50
12        424.763    4.65                         33.50
13        -73.668   10.00   1.51742    52.4       35.20
14        -24.017   11.00                         37.90
像面        ∞
マスターレンズとコンバーターレンズの間隔      4.19
コンバーターレンズをマスターレンズの像側に配置した時の各種データ
焦点距離      49.27
Fナンバー      5.79
半画角（度）  23.71
像高          21.64
レンズ全長    97.18
BF            11.00
コンバーターレンズの各種データ
焦点距離      -81.18
レンズ構成長   52.85
前側主点位置   -9.30
後側主点位置  -71.02
拡大倍率        2.01
コンバーターレンズの単レンズデータ
レンズ  始面  焦点距離
1       1    -22.01
2       2     16.42
3       4    -12.82
4       5     17.08
5       7    -20.50
6       9     59.89
7      11    -97.93
8      13     64.44
【００７３】
［数値実施例４］
単位 mm
面データ
面番号       r        d      nd         vd       有効径
1         81.547    1.20   2.05090    26.9       25.60
2         17.175    8.90   1.85478    24.8       24.40
3        -74.877    0.40                         24.10
4       -800.041    1.20   2.00100    29.1       23.60
5         15.215    8.10   1.80810    22.8       22.40
6       -109.942    1.35                         22.50
7        -59.136    1.20   2.00100    29.1       22.40
8        800.004    3.95                         22.80
9        -35.142    1.20   2.05090    26.9       23.40
10        309.433    0.15                         25.30
11         50.320    5.10   1.53172    48.8       28.20
12        -77.229    0.60                         29.10
13        -79.630    1.60   2.00100    29.1       29.20
14        387.478    6.50                         30.70
15       -116.685   10.00   1.51742    52.4       35.50
16        -25.328   13.96                         37.90
像面        ∞
マスターレンズとコンバーターレンズの間隔      4.19
コンバーターレンズをマスターレンズの像側に配置した時の各種データ
焦点距離      49.40
Fナンバー      5.81
半画角（度）  23.65
像高          21.64
レンズ全長    98.73
BF            13.96
コンバーターレンズの各種データ
焦点距離      -75.46
レンズ構成長   51.45
前側主点位置   -6.52
後側主点位置  -62.68
拡大倍率        2.02
コンバーターレンズの単レンズデータ
レンズ  始面  焦点距離
1       1    -20.90
2       2     17.11
3       4    -14.91
4       5     17.03
5       7    -54.97
6       9    -29.98
7      11     58.11
8      13    -65.88
9      15     60.27
【００７４】
［数値実施例５］
単位 mm
面データ
面番号       r        d      nd         vd       有効径
1         105.372    1.10   1.90525    35.0       25.80
2          20.274    9.30   1.74077    27.8       25.40
3         -43.036    3.30                         25.50
4         -34.856    1.20   1.85150    40.8       24.20
5          50.808    9.00   1.54072    47.2       24.90
6         -19.532    1.30   2.00330    28.3       25.60
7        -612.486    7.20                         28.90
8         -70.239    9.60   1.61293    37.0       35.20
9         -24.676   13.95                         37.90
像面        ∞
マスターレンズとコンバーターレンズの間隔      4.19
コンバーターレンズをマスターレンズの像側に配置した時の各種データ
焦点距離      39.45
Fナンバー      4.64
半画角（度）  28.74
像高          21.64
レンズ全長    89.28
BF            13.95
コンバーターレンズの各種データ
焦点距離     -162.19
レンズ構成長   42.00
前側主点位置  -29.93
後側主点位置  -84.93
拡大倍率        1.61
コンバーターレンズの単レンズデータ
レンズ  始面  焦点距離
1       1    -27.90
2       2     19.84
3       4    -24.12
4       5     27.32
5       6    -20.13
6       8     57.46
【００７５】
［数値実施例６］
単位 mm
面データ
面番号       r        d      nd         vd       有効径
1         258.268    1.00   2.00100    29.1       25.80
2          23.518    7.70   1.85478    24.8       25.70
3         -54.781    6.10                         25.90
4         -30.390    1.00   2.05090    26.9       24.40
5          31.048    7.40   1.89286    20.4       26.30
6         -48.829    1.00   2.24163    16.9       27.30
7       -1396.349    8.60                         28.70
8        -130.600    9.80   1.51742    52.4       36.30
9         -26.447   13.65                         38.60
像面        ∞
マスターレンズとコンバーターレンズの間隔      4.19
コンバーターレンズをマスターレンズの像側に配置した時の各種データ
焦点距離      39.02
Fナンバー      4.59
半画角（度）  29.00
像高          21.64
レンズ全長    89.58
BF            13.65
コンバーターレンズの各種データ
焦点距離      -194.07
レンズ構成長    42.60
前側主点位置   -40.70
後側主点位置  -101.32
拡大倍率         1.59
コンバーターレンズの単レンズデータ
レンズ  始面  焦点距離
1       1    -25.90
2       2     20.16
3       4    -14.49
4       5     22.23
5       6    -40.77
6       8     62.10
【００７６】
【表１】
2020003580.tif 000003
【００７７】
【表２】
2020003580.tif 000004
【００７８】
［撮像装置の実施例］
図２２は、撮像装置（デジタルカメラ）１０の構成を示す図である。図２２（ａ）は斜視図であり、図２２（ｂ）は側面図である。撮像装置１０は、カメラ本体１３と、マスターレンズＭＬと、上述した実施例１乃至６のいずれかと同様であるコンバーターレンズＲＣＬと、マスターレンズＭＬおよびコンバーターレンズＲＣＬとによって形成される像を光電変換する受光素子（撮像素子）１２を備える。受光素子１２としては、ＣＣＤセンサやＣＭＯＳセンサ等の撮像素子を用いることができる。マスターレンズＭＬおよびコンバーターレンズＲＣＬは、カメラ本体１３は一体に構成されていても良いし、それぞれがカメラ本体１３に対して着脱可能に構成されていても良い。
【００７９】
マスターレンズＭＬとコンバーターレンズＲＣＬがカメラ本体１３と一体に構成されている場合、コンバーターレンズＲＣＬは光軸上に挿脱可能に構成される。
【００８０】
［交換レンズの実施例］
本発明は、マスターレンズＭＬとコンバーターレンズＲＣＬが同一の鏡筒内に構成され、撮像装置に対して着脱可能な交換レンズにも適用されうる。当該交換レンズは、焦点距離が不変な単焦点レンズでもよいし、焦点距離が可変なズームレンズでもよい。この場合、コンバーターレンズＲＣＬは光軸上に挿脱可能に構成される。操作部材やユーザインターフェースを介してユーザから指示されることに応じて、コンバーターレンズＲＣＬが光軸上または光軸外に配置される。
【００８１】
以上、本発明の好ましい実施例について説明したが、本発明はこれらの実施形態及び実施例に限定されず、その要旨の範囲内で種々の組合せ、変形及び変更が可能である。
【符号の説明】
【００８２】
ＲＣＬ  コンバーターレンズ
ＭＬ  マスターレンズ
【図１】
2020003580.tif 000005
【図２】
2020003580.tif 000006
【図３】
2020003580.tif 000007
【図４】
2020003580.tif 000008
【図５】
2020003580.tif 000009
【図６】
2020003580.tif 000010
【図７】
2020003580.tif 000011
【図８】
2020003580.tif 000012
【図９】
2020003580.tif 000013
【図１０】
2020003580.tif 000014
【図１１】
2020003580.tif 000015
【図１２】
2020003580.tif 000016
【図１３】
2020003580.tif 000017
【図１４】
2020003580.tif 000018
【図１５】
2020003580.tif 000019
【図１６】
2020003580.tif 000020
【図１７】
2020003580.tif 000021
【図１８】
2020003580.tif 000022
【図１９】
2020003580.tif 000023
【図２０】
2020003580.tif 000024
【図２１】
2020003580.tif 000025
【図２２】
2020003580.tif 000026